(57)【要約】【課題】この発明は、遊技媒体の種類毎に遊技媒体数を計数することが可能な計数手段による計数結果に基づいて、計数結果を含む情報が記録された計数結果記録媒体を発行する際に、計数結果記録媒体の取り忘れを防止できる計数結果記録媒体発行装置を提供することを目的とする。【解決手段】計数手段によって複数種類の遊技媒体の計数が行なわれた場合に、遊技媒体の種類毎の計数結果を含む情報を１枚の記録媒体に記録して、発行させる発行手段を備えており、発行手段は、前記遊技媒体の種類毎の計数結果情報の全てを含む機械読取可能な１種類のコード情報を作成し、作成した前記１種類のコード情報を１枚の記録媒体に記録させる手段を備えている。【選択図】図７
2010075603.tif 000002
【特許請求の範囲】
【請求項１】
複数種類の遊技媒体が投入された場合に、遊技媒体の種類毎に遊技媒体数を計数することが可能な計数手段による計数結果に基づいて、計数結果を含む情報が記録された計数結果記録媒体を発行する計数結果記録媒体発行装置において、
前記計数手段によって複数種類の遊技媒体の計数が行なわれた場合に、遊技媒体の種類毎の計数結果を含む情報を１枚の記録媒体に記録して、発行させる発行手段を備えており、
前記発行手段は、前記遊技媒体の種類毎の計数結果情報の全てを含む機械読取可能な１種類のコード情報を作成し、作成した前記１種類のコード情報を１枚の記録媒体に記録させる手段を備えていることを特徴とする計数結果記録媒体発行装置。
【請求項２】
２種類の遊技媒体が投入された場合に、遊技媒体の種類毎に遊技媒体数を計数することが可能な計数手段による計数結果に基づいて、計数結果を含む情報が記録された計数結果記録媒体を発行する計数結果記録媒体発行装置において、
前記計数手段によって前記２種類の遊技媒体の計数が行なわれた場合に、前記２種類の遊技媒体の計数結果が共に所定の閾値以上であるか否かを判別する判別手段、
前記判別手段によって前記２種類の遊技媒体の計数結果が共に前記所定の閾値以上であると判別された場合には、前記遊技媒体の種類毎にその計数結果情報を含む機械読取可能なコード情報をそれぞれ作成し、作成した２種類のコード情報を前記２種類の遊技媒体の計数結果に対応するコード情報として１枚の記録媒体に記録して発行させる第１発行手段、および
前記判別手段によって前記２種類の遊技媒体の計数結果のうち少なくとも一方が前記所定の閾値未満であると判別された場合には、計数結果が少ない方の第１の遊技媒体を計数結果の大きい方の第２の遊技媒体と見做して、第１の遊技媒体の計数結果を第２の遊技媒体の計数結果に加算し、得られた加算結果を含む機械読取可能な１種類のコード情報を作成し、作成した１種類のコード情報を前記第２の遊技媒体の計数結果に対するコード情報として１枚の記録媒体に記録して発行させる第２発行手段、
を備えていることを特徴とする計数結果記録媒体発行装置。
【請求項３】
２種類の遊技媒体が投入された場合に、遊技媒体の種類毎に遊技媒体数を計数することが可能な計数手段による計数結果に基づいて、計数結果を含む情報が記録された計数結果記録媒体を発行する計数結果記録媒体発行装置において、
前記計数手段によって前記２種類の遊技媒体の計数が行なわれた場合に、前記２種類の遊技媒体の計数結果が共に所定の閾値以上であるか否かを判別する判別手段、
前記判別手段によって前記２種類の遊技媒体の計数結果が共に前記所定の閾値以上であると判別された場合には、前記遊技媒体の種類毎の計数結果情報の全てを含む機械読取可能な１種類のコード情報を作成し、作成した前記１種類のコード情報を１枚の記録媒体に記録して発行させる第１発行手段、および
前記判別手段によって前記２種類の遊技媒体の計数結果のうち少なくとも一方が前記所定の閾値未満であると判別された場合には、計数結果が少ない方の第１の遊技媒体を計数結果の大きい方の第２の遊技媒体と見做して、第１の遊技媒体の計数結果を第２の遊技媒体の計数結果に加算し、得られた加算結果を含む機械読取可能な１種類のコード情報を作成し、作成した１種類のコード情報を前記第２の遊技媒体の計数結果に対するコード情報として１枚の記録媒体に記録して発行させる第２発行手段、
を備えていることを特徴とする計数結果記録媒体発行装置。
【請求項４】
２種類の遊技媒体が投入された場合に、遊技媒体の種類毎に遊技媒体数を計数することが可能な計数手段による計数結果に基づいて、計数結果を含む情報が記録された計数結果記録媒体を発行する計数結果記録媒体発行装置において、
前記計数手段によって２種類の遊技媒体の計数が行なわれた場合において、前記２種類の遊技媒体の景品交換レートが同一である場合には、前記２種類の遊技媒体の計数結果を加算し、得られた加算結果情報を含む機械読取可能な１種類のコード情報を作成し、作成した１種類のコード情報を１枚の記録媒体に記録して発行させる手段を備えていることを特徴とする計数結果記録媒体発行装置。
【請求項５】
複数種類の遊技媒体は、直径、形状、模様、色、材質のうちから選択された１または任意の組合せが異なることを特徴とする請求項１〜４に記載の計数結果記録媒体発行装置。
【請求項６】
前記計数手段が、計数結果記録媒体発行装置に接続された計数機であることを特徴とする請求項１〜５に記載の計数結果記録媒体発行装置。
【請求項７】
請求項６に記載の計数結果記録媒体発行装置と、前記計数結果記録媒体発行装置によって発行された記録媒体に記録されているコード情報を読み取る機能を備えた景品管理装置とからなる遊技媒体数管理システム。
【発明の詳細な説明】
【技術分野】
【０００１】
この発明は、遊技客がパチスロ機で獲得したメダル数を記録したレシート等の記録媒体を発行するための計数結果記録媒体発行装置および遊技媒体数管理システムに関する。
【背景技術】
【０００２】
現在、メダルを遊技媒体として利用するパチスロ機として、直径２５ｍｍのメダル（以下、φ２５メダルという）を利用するパチスロ機と、直径３０ｍｍのメダル（以下、φ３０メダルという）を利用するパチスロ機とが存在している。このように利用するメダルの直径が異なる２種類のパチスロ機が設置された遊技施設では、φ２５メダルを計数するためのφ２５メダル専用のメダル計数機と、φ３０メダルを計数するためのφ３０メダル専用のメダル計数機とをそれぞれ設置している。
【０００３】
このような遊技施設においては、φ２５メダルはφ２５メダル専用のメダル計数機によって、φ３０メダルはφ３０メダル専用のメダル計数機によって、計数を行なわなければならない。このため、２種類のメダルを保有している遊技客は、それぞれの種類のメダルを、その種類に対応した専用のメダル計数機で計数させなければならず、面倒であった。      
【０００４】
また、１つのメダル計数機に２種類のメダルが混在して投入されるおそれがある。このようなことが起こると、メダル計数機は計数動作を行なえないエラー状態となる場合がある。メダル計数機がエラー状態となると、エラー状態解除のために投入メダルを全て取り除かなければならず、従業員に負担をかけるとともに、遊技客を待たせることになる。
【０００５】
最近においては、直径は同じであるが、形状、模様、色、材質等が異なる複数種類のメダルを使用することにより、景品交換レートが異なる複数種類のメダルによる遊技を行なえるようにした遊技施設（以下、複数レート運用施設という）も増えてきている。たとえば、低レートと高レートの２種類のメダルを使用している複数レート運用施設では、同じ機構の複数のメダル計数機を、低レート専用のメダル計数機と、高レート専用のメダル計数機に分け、低レートのメダルは低レート専用のメダル計数機で計数し、高レートのメダルは高レート専用のメダル計数機で計数するようにしている。
【０００６】
このような複数レート運用施設においては、景品交換レートが異なるメダル種類毎に専用のメダル計数機を用意しているが、計数対象メダルのレートに対応したメダル計数機以外のメダル計数機によって計数を行なってしまう場合がある。例えば、低レートのメダルを高レート専用のメダル計数機によって計数を行なうと、遊技施設側に損害が発生する。
【特許文献１】特開平９−３５１０７号公報
【特許文献２】特開平９−２９９６０４号公報
【特許文献３】特開２００２−１７７６２６号公報
【発明の開示】
【発明が解決しようとする課題】
【０００７】
本出願人は、上記のような問題を解消するために、φ２５メダルとφ３０メダルとを自動的に判別して、それぞれのメダルの枚数を１台で計数することができるメダル計数機を開発した。このような複数種類のメダルの計数を行なえるメダル計数機を用いた場合、メダル計数機に接続されるレシート発行機としては、メダル種類毎にレシートを発行するものが想定される。なお、この場合、各レシートには、メダル種類、計数結果等が記録される。
【０００８】
例えば、φ２５メダルとφ３０メダルの２種類のメダルがメダル計数機に投入され、メダル種類毎にそれらの枚数が計数され、メダル種類毎の計数結果がレシート発行機に送られた場合において、レシート発行機の発券ボタン（レシート発行ボタン）が押されると、一方のメダルに対応するレシートが発行され、この後に再度、発券ボタンが押された場合に、他方のメダルに対応するレシートが発行されるようにすると、２枚目のレシートを発行させるためのボタン操作を忘れたり、２枚目のレシートを取り忘れたりする可能性がある。
【０００９】
この発明は、遊技媒体の種類毎に遊技媒体数を計数することが可能な計数手段による計数結果に基づいて、計数結果を含む情報が記録された計数結果記録媒体を発行する際に、計数結果記録媒体の取り忘れを防止できる計数結果記録媒体発行装置および遊技媒体数管理システムを提供することを目的とする。
【課題を解決するための手段】
【００１０】
請求項１に記載の発明は、複数種類の遊技媒体が投入された場合に、遊技媒体の種類毎に遊技媒体数を計数することが可能な計数手段による計数結果に基づいて、計数結果を含む情報が記録された計数結果記録媒体を発行する計数結果記録媒体発行装置において、前記計数手段によって複数種類の遊技媒体の計数が行なわれた場合に、遊技媒体の種類毎の計数結果を含む情報を１枚の記録媒体に記録して、発行させる発行手段を備えており、前記発行手段は、前記遊技媒体の種類毎の計数結果情報の全てを含む機械読取可能な１種類のコード情報を作成し、作成した前記１種類のコード情報を１枚の記録媒体に記録させる手段を備えていることを特徴とする。
【００１１】
請求項２に記載の発明は、２種類の遊技媒体が投入された場合に、遊技媒体の種類毎に遊技媒体数を計数することが可能な計数手段による計数結果に基づいて、計数結果を含む情報が記録された計数結果記録媒体を発行する計数結果記録媒体発行装置において、前記計数手段によって前記２種類の遊技媒体の計数が行なわれた場合に、前記２種類の遊技媒体の計数結果が共に所定の閾値以上であるか否かを判別する判別手段、前記判別手段によって前記２種類の遊技媒体の計数結果が共に前記所定の閾値以上であると判別された場合には、前記遊技媒体の種類毎にその計数結果情報を含む機械読取可能なコード情報をそれぞれ作成し、作成した２種類のコード情報を前記２種類の遊技媒体の計数結果に対応するコード情報として１枚の記録媒体に記録して発行させる第１発行手段、および前記判別手段によって前記２種類の遊技媒体の計数結果のうち少なくとも一方が前記所定の閾値未満であると判別された場合には、計数結果が少ない方の第１の遊技媒体を計数結果の大きい方の第２の遊技媒体と見做して、第１の遊技媒体の計数結果を第２の遊技媒体の計数結果に加算し、得られた加算結果を含む機械読取可能な１種類のコード情報を作成し、作成した１種類のコード情報を前記第２の遊技媒体の計数結果に対するコード情報として１枚の記録媒体に記録して発行させる第２発行手段を備えていることを特徴とする。
【００１２】
請求項３に記載の発明は、２種類の遊技媒体が投入された場合に、遊技媒体の種類毎に遊技媒体数を計数することが可能な計数手段による計数結果に基づいて、計数結果を含む情報が記録された計数結果記録媒体を発行する計数結果記録媒体発行装置において、前記計数手段によって前記２種類の遊技媒体の計数が行なわれた場合に、前記２種類の遊技媒体の計数結果が共に所定の閾値以上であるか否かを判別する判別手段、前記判別手段によって前記２種類の遊技媒体の計数結果が共に前記所定の閾値以上であると判別された場合には、前記遊技媒体の種類毎の計数結果情報の全てを含む機械読取可能な１種類のコード情報を作成し、作成した前記１種類のコード情報を１枚の記録媒体に記録して発行させる第１発行手段、および前記判別手段によって前記２種類の遊技媒体の計数結果のうち少なくとも一方が前記所定の閾値未満であると判別された場合には、計数結果が少ない方の第１の遊技媒体を計数結果の大きい方の第２の遊技媒体と見做して、第１の遊技媒体の計数結果を第２の遊技媒体の計数結果に加算し、得られた加算結果を含む機械読取可能な１種類のコード情報を作成し、作成した１種類のコード情報を前記第２の遊技媒体の計数結果に対するコード情報として１枚の記録媒体に記録して発行させる第２発行手段を備えていることを特徴とする。
【００１３】
請求項４に記載の発明は、２種類の遊技媒体が投入された場合に、遊技媒体の種類毎に遊技媒体数を計数することが可能な計数手段による計数結果に基づいて、計数結果を含む情報が記録された計数結果記録媒体を発行する計数結果記録媒体発行装置において、前記計数手段によって２種類の遊技媒体の計数が行なわれた場合において、前記２種類の遊技媒体の景品交換レートが同一である場合には、前記２種類の遊技媒体の計数結果を加算し、得られた加算結果情報を含む機械読取可能な１種類のコード情報を作成し、作成した１種類のコード情報を１枚の記録媒体に記録して発行させる手段を備えていることを特徴とする。
【００１４】
請求項５に記載の発明は、請求項１〜４に記載の発明において、複数種類の遊技媒体は、直径、形状、模様、色、材質のうちから選択された１または任意の組合せが異なることを特徴とする。
【００１５】
請求項６に記載の発明は、請求項１〜５に記載の発明において、前記計数手段が、計数結果記録媒体発行装置に接続された計数機であることを特徴とする。
請求項７に記載の発明は、遊技媒体数管理システムであって、請求項６に記載の計数結果記録媒体発行装置と、前記計数結果記録媒体発行装置によって発行された記録媒体に記録されているコード情報を読み取る機能を備えた景品管理装置とからなることを特徴とする。
【発明の効果】
【００１６】
請求項１〜７に記載の発明によれば、計数手段によって複数種類の遊技媒体の計数が行なわれた場合にも、複数枚の記録媒体が発行されるのではなく、１枚の記録媒体しか発行されないので、計数結果記録媒体の取り忘れが発生しにくくなる。
【００１７】
請求項１に記載の発明では、遊技媒体の種類毎の計数結果情報の全てを含む機械読取可能な１種類のコード情報を作成し、作成した１種類のコード情報を１枚の記録媒体に記録させているので、遊技媒体の種類毎の複数種類のコード情報が記録媒体に記録される場合に比べて、その読み取り操作が簡単となる。
【００１８】
請求項２または請求項３に記載の発明によれば、２種類の遊技媒体の計数結果のうち、一方が所定の閾値未満である場合には、計数結果が閾値未満の遊技媒体は遊技客が誤って混入したものと判断した上で、当該閾値未満の計数結果を他方の遊技媒体の計数結果に加算するようにしている。したがって、景品交換するには中途半端な少数の遊技媒体が、計数結果が多い方の遊技媒体として取り扱われるので、遊技客にとっては便利となる。
【００１９】
請求項４に記載の発明によれば、遊技媒体の種類は異なるが景品交換レートが同じ場合には、それらの遊技媒体が同一種類である場合と同様な計数結果が記録媒体に記録されるので、後に行なわれる景品交換等の処理が簡単となる。
【発明を実施するための最良の形態】
【００２０】
以下、図面を参照して、この発明の実施の形態について説明する。
【００２１】
〔１〕メダル計数管理システムの構成
図１は、遊技施設内に設けられたメダル計数管理システムの構成を示している。
メダル計数管理システムは、メダル計数機１００と、レシート発行機（計数結果記録媒体発行装置）２００と、景品管理機３００とを備えている。メダル計数機１００とレシート発行機２００は、遊技施設内の所要箇所に設置されている。景品管理機３００は、遊技施設内の景品カウンタに設置されている。
【００２２】
この実施例では、メダル計数機１００とレシート発行機２００とは個別に設けられているが、メダル計数機能とレシート発行機能の両方を備えた１つの装置（メダル計数・レシート発行装置）を用いてもよい。メダル計数機能とレシート発行機能の両方を備えたメダル計数・レシート発行装置を用いた場合には、当該装置が計数結果記録媒体発行装置に該当する。
【００２３】
メダル計数機１００は、遊技客がパチスロ機で獲得したメダルを計数する。メダル計数機１００は、通常は、遊技客による不正を防止するために従業員によって操作される。この遊技施設では、パチスロ機として、直径２５ｍｍのメダル（以下、φ２５メダルという）５１を利用するパチスロ機と、直径３０ｍｍのメダル（以下、φ３０メダルという）５２を利用するパチスロ機との両方が設置されている。このメダル計数機１００は、φ２５メダル５１とφ３０メダル５２とを自動的に判別して、それぞれのメダルの枚数を１台で計数する機能（混合計数機能）を備えている。メダル計数機１００には、レシート発行機２００が接続されている。
【００２４】
レシート発行機２００は、メダル計数機１００から与えられるメダル計数結果を含む情報を記録したレシートを発行する。メダル計数機１００の混合計数機能によって２種類のメダルの計数が同時に行なわれた場合には、レシート発行機２００は２種類のメダル５１、５２それぞれの計数結果等を含む情報を記録した１枚のレシート６１を発行する。
【００２５】
レシート発行機２００によって発行されたレシートは、景品管理機（ＰＯＳ）３００が設置された景品カウンタに持ち込まれる。従業員は、持ち込まれたレシートに記録されている計数結果（遊技媒体数）等の情報を景品管理機３００に読み取らせる。景品管理機３００によって読み取られた計数結果に基づいて、景品交換が行なわれる。
【００２６】
〔２〕メダル計数機１００の機構
図２は、メダル計数機１００を正面右側から見た斜視図である。
メダル計数機１００は、その筐体をなす本体ケーシング２を備えている。本体ケーシング２は、幅広のボックス形状である。本体ケーシング２の天面において、手前側には、２つの投入口３が左右に並んで形成されており、奥側には、表示操作パネル４が設けられている。
【００２７】
各投入口３の周縁には、下向きに狭くなる略筒状のホッパ５の上端が連設されている。ホッパ５の下端は開口されており、本体ケーシング２の内部に臨んでいる。
【００２８】
表示操作パネル４は、たとえば、タッチパネル付きの液晶表示器から構成されており、表示操作パネル４には、メダル計数機１００の動作状況が表示されたり、メダル計数機１００を操作するためのボタンが表示されたりする。
【００２９】
メダル計数機１００は、本体ケーシング２内において、各投入口３の下方（厳密には各投入口３に対応するホッパ５の下方）に、計数ユニット６を備えている。つまり、このメダル計数機１００には、２つの計数ユニット６が設けられている。
【００３０】
なお、この実施例で示したメダル計数機１００は、処理を迅速に行うために投入口３および計数ユニット６が２つ備えられたいわゆるツインタイプとしたが、投入口３および計数ユニット６がそれぞれ１つのシングルタイプのものであってもよい。
【００３１】
遊技客が獲得したメダルは、いずれかの投入口３に投入されると、ホッパ５によって計数ユニット６に導かれる。計数ユニット６は、後述するように、導かれたメダルの枚数をメダルの種類毎に数える。計数後のメダルは、本体ケーシング２の後方から機外の貯留タンク等に排出される。
【００３２】
なお、ゴミや硬貨等の異物が誤って投入口３に投入された場合には、これらの異物は、計数ユニット６にてメダルから分離された後、本体ケーシング２の正面の下端で引き出し可能に設けられたリジェクトボックス７に排出される。
【００３３】
図３は、１つの計数ユニット６を正面右側から見た斜視図である。
図３に示すように、計数ユニット６は、上下方向に薄い平板状のベース１０を備えている。ベース１０の上面は、水平面である。
【００３４】
そして、計数ユニット６は、ベース１０上に、ホッパ５によって導かれたメダルを１枚ずつ分離して繰り出す繰出機構１１と、１枚ずつ繰り出されたメダルを本体ケーシング２の後方へ向けて搬送する搬送機構１２と、搬送機構１２によって搬送されるメダルの種類を１枚毎に判別する判別機構１３とを備えている。
【００３５】
繰出機構１１は、回転円板１４と、第１モータ１５と、ガイド壁１６と、ゲート１７と、第２モータ１８とを備えている。
【００３６】
回転円板１４は、上下方向に延びる中心軸を有しており、ベース１０によって回転自在に支持されている。回転円板１４の上面は、水平面である。回転円板１４の上面における円中心位置には、上向きに突出するガイドキャップ１９が一体的に設けられている。ガイドキャップ１９およびガイドキャップ１９周辺における回転円板１４の上面は、ホッパ５の下端から投入口３を介して上方へ露出されている（図２参照）。
【００３７】
第１モータ１５は、回転円板１４の後側において、ベース１０の上面に取り付けられている。第１モータ１５が発生する駆動力は、ベルト等を介して回転円板１４に伝達され、これにより、回転円板１４は、所定の方向（詳しくは平面視における時計回りの方向であり、図示した太い実線矢印参照）へ回転する。
【００３８】
ガイド壁１６は、回転円板１４と同心の略環状をなしており、回転円板１４の外周縁に沿って回転円板１４を径方向外側から取り囲むように、ベース１０の上面から上向きに延びている。ガイド壁１６の周方向における１箇所（詳しくは左後側部分）は、完全に切断されるように切り欠かれており、切欠き部分２０とされる。ここで、ガイド壁１６において、切欠き部分２０を後側から区画する部分を第１部１６Ａとし、切欠き部分２０を前側から区画する部分を第２部１６Ｂとする。
【００３９】
ガイド壁１６は、周方向における複数の箇所において、ねじ２１によってベース１０の上面に固定されている。しかし、上述した第２部１６Ｂは、ベース１０に固定されておらず、ベース１０の上面に対して、上下に移動することができる。
【００４０】
ゲート１７は、切欠き部分２０においてガイド壁１６の周方向に対する接線方向（詳しくは前後方向）に延びる平板である。ゲート１７は、上述した接線方向に長手であり、切欠き部分２０をガイド壁１６の径方向外側からほぼ塞ぐ閉塞部１７Ａと、閉塞部１７Ａから前方へ延びる延設部１７Ｂとを一体的に備えている。
【００４１】
閉塞部１７Ａでは、後端部が、ねじ２２によってガイド壁１６の第１部１６Ａに固定され、前端部が、ねじ２３によってガイド壁１６の第２部１６Ｂに固定されている。なお、延設部１７Ｂの後端部も、ねじ２３によってガイド壁１６の第２部１６Ｂに固定されている。
【００４２】
ここで、閉塞部１７Ａの下端縁は、水平方向に平坦である。そして、閉塞部１７Ａの下端縁は、回転円板１４の上面においてガイド壁１６の切欠き部分２０に一致する部分に対して、僅か上方から対向している。詳しくは、閉塞部１７Ａの下端縁と回転円板１４の上面との間には、隙間Ｘが確保されている。図３に示す常態では（このときのゲート１７の位置を常態位置とする。）、隙間Ｘの上下方向における寸法は、１枚のメダルの厚さとほぼ同じであり、隙間Ｘの水平方向における寸法（ガイド壁１６における第１部１６Ａと第２部１６Ｂとの間隔）は、メダルの直径よりも大きい。上述したように、このメダル計数機１００では、φ２５メダルとφ３０メダルとが計数可能であるので、隙間Ｘの水平方向における寸法は、３０ｍｍより大きい。
【００４３】
第２モータ１８は、ゲート１７の延設部１７Ｂの左側において、ベース１０の上面に取り付けられている。第２モータ１８の出力軸（ギヤ機構を経た出力軸）１８Ａには、カム２４が取り付けられており、カム２４は、第２モータ１８が駆動されると、偏心回転する。
【００４４】
ここで、延設部１７Ｂの前端縁には、後側へ略Ｕ字状に窪む窪み２５が形成されており、窪み２５に、上述したカム２４が嵌め込まれている。ゲート１７が常態位置にある状況でカム２４が所定量（たとえば１８０°）だけ偏心回転すると、カム２４が、延設部１７Ｂにおいて窪み２５を上から縁取る部分を押し上げる。これにより、ゲート１７全体が、延設部１７Ｂ側が閉塞部１７Ａ側より高くなるように、ガイド壁１６の第１部１６Ａを支点として傾く（このときのゲート１７の位置を解除位置とする。）。これに伴い、ガイド壁１６の第２部１６Ｂが持ち上がり、また、上述した隙間Ｘが、ゲート１７が常態位置にあるときよりも上方ヘ僅かに広がる。なお、カム２４が、前記所定量だけ逆回転すると、ゲート１７は解除位置から常態位置に戻る。
【００４５】
このように、ゲート１７を常態位置から解除位置へ移動させることによって、隙間Ｘを上方へ広げることができる。
【００４６】
図４は、搬送機構１２および判別機構１３が見える位置における計数ユニット６の要部平面図である。
【００４７】
図４に示すように、搬送機構１２は、搬送路３０と、１対の側壁３１と、搬送路３０を前方から後方へとメダルを搬送するために搬送路３０の上に配置されている２つのプーリ３２および搬送ベルト３３とを備えている。なお、説明の便宜上、プーリ３２および搬送ベルト３３は、点線で示している（プーリ３２および搬送ベルト３３については、図３も参照）。
【００４８】
搬送路３０は、ベース１０の上面に設けられた水平面である。搬送路３０は、回転円板１４におけるガイド壁１６の切欠き部分２０（換言すれば上述した隙間Ｘ）の近傍を始点として本体ケーシング２の後方（図４では上方）へ向かって延びている。搬送路３０は、回転円板１４の上面と面一となっている。搬送路３０では、前後方向における途中部分が、右側へ湾曲しており、湾曲部分３０Ａとされる。湾曲部分３０Ａには、前後方向に長いリジェクト穴３４が形成されている。リジェクト穴３４は、紙面下方へ開口していて、上述したリジェクトボックス７（図２参照）につながっている。リジェクト穴３４の左右方向寸法は、２５ｍｍよりも小さい。
【００４９】
１対の側壁３１は、ベース１０の上面から立設されており、搬送路３０の左右方向を区画している。詳しくは、右側の側壁３１Ａは、搬送路３０の右端に沿いつつ、本体ケーシング２の後方へ向かって延びている。左側の側壁３１Ｂは、搬送路３０の左端に沿いつつ、本体ケーシング２の後方へ向かって延びている。１対の側壁３１は、ともに、搬送路３０の湾曲部分３０Ａでは、湾曲部分３０Ａに沿って右側へ湾曲している。
【００５０】
１対の側壁３１は、上述したように搬送路３０の左右方向を区画していることから、搬送路３０の幅を規定している。搬送路３０の幅（１対の側壁３１の間隔）は、前端部を除く前後方向における全域に亘って、約３０ｍｍで一定となっている。つまり、搬送路３０は、その幅を約３０ｍｍに保ちつつ後方へ延び、湾曲部分３０Ａにおいても、その幅を約３０ｍｍに保ったまま右側へ湾曲している。
【００５１】
２つのプーリ３２は、回転軸が水平に左右を向いており、搬送路３０の上方において、前後方向に互いに間隔を隔てた状態で回転自在に配置されている。詳しくは、前側のプーリ３２Ａは、搬送路３０の前端部の上方に配置されている。後側のプーリ３２Ｂは、搬送路３０の後端部の上方に配置されている。プーリ３２Ｂは、上述した第１モータ１５（図３参照）の出力軸に連結されている。
【００５２】
搬送ベルト３３は、所定の張力で２つのプーリ３２間に掛け回されている。搬送ベルト３３において、プーリ３２Ａの下端とプーリ３２Ｂの下端とを繋ぐ部分は、下側部分３３Ａとされる（図３も参照）。下側部分３３Ａは、後方へ向かって直線的に延びつつ、水平方向に平坦となっており、搬送路３０に対して上方から対向している。詳しくは、下側部分３３Ａは、後方へ向かって搬送路３０に対して右側へ寄った（偏向した）状態で配置されている。つまり、下側部分３３Ａは、搬送路３０の前端部（上流側）では搬送路３０の幅方向略中央または左寄りにあり、搬送路３０の後端部（下流側）では右寄りにあるので、下側部分３３Ａの長さ方向は、搬送路３０の長さ方向に対して、右側へ向かってやや傾いている。
【００５３】
ここで、第１モータ１５（図３参照）が駆動されると、その駆動力がプーリ３２Ｂを介して搬送ベルト３３に伝達され、搬送ベルト３３は、下側部分３３Ａが常に後方へ移動するように、２つのプーリ３２間を周回移動する。
【００５４】
判別機構１３は、搬送路３０の後端部（詳しくは、湾曲部分３０Ａよりも後方）に設けられており、１対のセンサ３５を含んでいる。１対のセンサ３５のうち、一方のセンサは、右側の側壁３１Ａに支持されて搬送路３０内に臨む磁気センサ３５Ａであり、他方のセンサは、左側の側壁３１Ｂに支持されて搬送路３０内に臨む光電センサ３５Ｂである。ここで、上述したように後方へ向かって搬送路３０に対して右側へ寄っている搬送ベルト３３の下側部分３３Ａは、搬送路３０の後端部では、磁気センサ３５Ａ側に寄っている。
【００５５】
磁気センサ３５Ａは、物体が通過するとき物体の右端部分を検出し、パルス信号を出力する。同様に、光電センサ３５Ｂも、物体が通過するとき物体の左端部分を検出して、パルス信号を出力する。ここで、磁気センサ３５Ａが出力するパルスを第１パルスとし、光電センサ３５Ｂが出力するパルスを第２パルスという。
【００５６】
磁気センサ３５Ａおよび光電センサ３５Ｂは、それぞれ、本体ケーシング２に内蔵されたマイクロコンピュータを含む制御部１１０（図５参照）に対して電気的に接続されており、第１パルスおよび第２パルスは、出力される度に制御部１１０に送られる。
【００５７】
次に、このメダル計数機１００によるメダル計数処理について説明する。
【００５８】
まず、図２を参照して、遊技客が獲得したメダルが、上述したようにいずれかの投入口３に投入される。投入されたメダルは、ホッパ５で導かれることによって、対応する計数ユニット６に上から降り注がれ、回転円板１４の上面における円中心部分周辺に落下する。ここで、上述したように回転円板１４の上面における円中心位置にはガイドキャップ１９が設けられていることから、メダルは、回転円板１４の上面において、円中心位置以外の領域に落下する。
【００５９】
その後、表示操作パネル４に表示されたボタン（図示せず）が押されることによって、メダル計数機１００によるメダル計数処理が開始され、図３を参照して、回転円板１４が、所定の方向（平面視における時計回りの方向であり、図示した太い実線矢印参照）へ回転する。
【００６０】
回転円板１４が所定の方向へ回転することによって、回転円板１４上のメダルには遠心力が作用し、回転円板１４上のメダルは、回転円板１４の外周縁（換言すればガイド壁１６の内周面）へ向かって移動する。なお、上述したように回転円板１４の上面における円中心位置にガイドキャップ１９が設けられていることから、遠心力が作用せずに回転円板１４の円中心位置に留まり続けるメダルはない。
【００６１】
ガイド壁１６の内周面まで到達したメダルは、ガイド壁１６の内周面に接触することによって、回転円板１４の径方向外側へそれ以上移動できないが、引き続き回転円板１４が回転していることから、ガイド壁１６の内周面に沿って１枚ずつ並びつつ、ガイド壁１６の内周面に接触しながら回転円板１４とともに回転する。
【００６２】
このようにガイド壁１６の内周面に接触しながら回転円板１４とともに回転するメダルのうち、上述した隙間Ｘに到達したメダルは、上述した遠心力によって、隙間Ｘから回転円板１４の外側へ弾き出され、図４に示す搬送路３０の前端部に受け渡される。ここで、隙間Ｘを区画するゲート１７が上述した常態位置にあるので（図３参照）、隙間Ｘの上下方向における寸法は、１枚のメダルの厚さとほぼ同じであり、隙間Ｘに到達したメダルは、１枚ずつ隙間Ｘを通過して搬送路３０に受け渡される。なお、隙間Ｘでメダルが詰まった場合には、ゲート１７が常態位置から解除位置へ移動して隙間Ｘが広げられた後、回転円板１４が逆転することによって、隙間Ｘのメダルが回転円板１４側へ回収される。
【００６３】
搬送路３０の前端部に受け渡されたメダルは、搬送路３０と搬送ベルト３３の下側部分３３Ａとによって上下から挟まれ、周回移動する搬送ベルト３３の下側部分３３Ａによって、搬送路３０を後方へ搬送される。
【００６４】
ここで、上述したように、搬送路３０では、前後方向における途中の湾曲部分３０Ａが、右側へ湾曲している。そのため、搬送路３０を後方へ搬送されるメダルは、湾曲部分３０Ａの手前までは、後方へ向かってまっすぐ搬送されるものの、湾曲部分３０Ａでは右側へ迂回しながら後方へ向かい、湾曲部分３０Ａより後では、後方へ向かって再度まっすぐ搬送される。
【００６５】
そして、上述したように搬送ベルト３３の下側部分３３Ａが、後方へ向かって搬送路３０に対して右側へ寄っているので、下側部分３３Ａによって搬送路３０を後方へ搬送されるメダルは、搬送路３０において、下側部分３３Ａの長さ方向、つまり、搬送路３０の右方向に偏向する方向へ搬送される。このため、メダルは、そのサイズにかかわらず、搬送路３０の右壁（右側の側壁３１Ａ）に沿って、側壁３１Ａにガイドされるように、搬送路３０を進む。
【００６６】
なお、メダルは、湾曲部分３０Ａで右側へ迂回することによって右側の側壁３１Ａへ積極的に接近することから、側壁３１Ａによるメダルのガイドが促進される。また、湾曲部分３０Ａに形成されたリジェクト穴３４の左右方向寸法は、上述したように２５ｍｍよりも小さいので、φ２５メダルおよびφ３０メダルは、リジェクト穴３４から落下することなく、湾曲部分３０Ａを通過して搬送路３０の後端部へ向かう。
【００６７】
上述したように、搬送路３０の幅（１対の側壁３１の間隔）は、前後方向における全域に亘って約３０ｍｍで一定であるので、φ３０メダルが搬送路３０を搬送される場合、φ３０メダルは、１対の側壁３１で左右からガイドされるように、左右の側壁３１に触れながら、搬送路３０を後方へ進む。厳密には、上述したように搬送路３０を通過するメダルは、右側の側壁３１Ａに沿って搬送されるので、φ３０メダルと左側の側壁３１Ｂとの間には、僅かな隙間があり得る。
【００６８】
そして、搬送路３０の後端部に到達したφ３０メダル５２（図４において実線で示している。）は、右側の側壁３１Ａに支持された磁気センサ３５Ａ、および、左側の側壁３１Ｂに支持された光電センサ３５Ｂにより、左端部および右端部がそれぞれ検出される。そのため、搬送路３０の後端部にφ３０メダルが１枚到達する度に、磁気センサ３５Ａが第１パルスを１つ出力し、かつ、光電センサ３５Ｂが第２パルスを１つ出力する。上述した制御部１１０は、第１パルスおよび第２パルスの両方がほぼ同時に送られてくる度に、φ３０メダルを１枚カウントする。
【００６９】
これに対し、φ２５メダルが搬送路３０を搬送される場合、φ２５メダルは、左右に５ｍｍ程度移動できる状態で、後方へ搬送されるが、上述したように、右側の側壁３１Ａに沿って搬送される。また、φ２５メダルを搬送する搬送ベルト３３の下側部分３３Ａは、上述したように、搬送路３０の後端部では、磁気センサ３５Ａ側に寄っている。そのため、φ２５メダルは、搬送ベルト３３の下側部分３３Ａによって、磁気センサ３５Ａ側に向かうように、搬送路３０の後端部へ搬送される。
【００７０】
搬送路３０の後端部に到達したφ２５メダル５１（図４において破線で示している。）は、その径が搬送路３０の幅より小さいため、右側の側壁３１Ａに接触している一方で左側の側壁３１Ｂから離れている（約５ｍｍ間隔があいている）ので、左側の側壁３１Ｂに支持された磁気センサ３５Ｂは、φ２５メダルの左端部を検出することができない。そのため、搬送路３０の後端部にφ２５メダルが１枚到達する度に、磁気センサ３５Ａだけが第１パルスを出力する。上述した制御部１１０は、第１パルスだけが送られてくる度に、φ２５メダルを１枚カウントする。
【００７１】
このようにして、φ３０メダルが搬送路３０の後端部に到達して第１パルスおよび第２パルスの両方がほぼ同時に制御部１１０に送られ、それをカウントした回数の合計が、投入口３に投入されたφ３０メダルの枚数となる。また、φ２５メダルが搬送路３０の後端部に到達して第１パルスだけが制御部１１０に送られ、それをカウントした回数の合計が、投入口３に投入されたφ２５メダルの枚数となる。φ２５メダルおよびφ３０メダルのそれぞれの枚数情報は、表示操作パネル４に表示されたり、外部機器へ出力されたりする。
【００７２】
なお、搬送路３０の後端部に到達したメダルは、その後、上述したように、本体ケーシング２の後方から機外の貯留タンク等に排出される。また、φ２５メダルより小さいゴミや硬貨等の異物が搬送路３０を搬送された場合、この異物は、リジェクト穴３４から落下して、上述したリジェクトボックス７（図２参照）に排出される。  
【００７３】
〔３〕メダル計数機１００の電気的構成
図５は、メダル計数機１００の電気的構成を示している。
【００７４】
メダル計数機１００は、制御部１１０を備えている。制御部１１０には、計数ユニット６内の第１モータ１５、第２モータ１８、第１センサ３５Ａおよび第２センサ３５Ｂが接続されている。さらに、制御部１１０には、表示部１１１、操作部１１２、レシート発行機接続用Ｉ／Ｆ１１３が接続されている。この例では、表示部１１１は表示操作パネル４に用いられている液晶表示器であり、操作部１１２は表示操作パネル４に用いられているタッチパネルである。レシート発行機接続用Ｉ／Ｆ１１３には、レシート発行機２００が接続される。なお、メダル計数機１００には、計数ユニット６が２つ設けられているが、図６では一方の計数ユニット６のみが示されている。
【００７５】
〔４〕レシート発行機２００の電気的構成
図６は、レシート発行機２００の電気的構成を示している。
【００７６】
レシート発行機２００は、制御部２１０を備えている。制御部２１０には、レシート発行部２１１、表示部２１２、操作部２１３、メダル計数機接続用Ｉ／Ｆ２１４、上位機接続用Ｉ／Ｆ２１５等が接続されている。レシート発行部２１１内には、図示しないが、レシートに文字やバーコードを印刷するための印刷部、レシートを搬送させるための駆動装置が含まれている。メダル計数機接続用Ｉ／Ｆ２１４には、メダル計数機１００が接続されている。表示部２１２は、例えば、液晶表示器で構成され、操作部２１３は、液晶表示器上に形成されたタッチパネルで構成される。レシート発行機２００は、遊技店内の各種の端末を統括管理している図示しない管理装置（ＴＣ：ターミナルコントローラ）や、レシート発行機２００によって発行されたレシートに記録されているバーコードを読み取る機能を備えた景品管理機（ＰＯＳ）３００とも上位機接続用Ｉ／Ｆ２１５を介して接続されており、レシートに書き込む情報と同等の情報を上記ＴＣやＰＯＳ３００へ送信する。      
【００７７】
〔５〕メダル計数機の動作
従業員は、メダルの計数を行いたい場合には、メダル計数機１００の表示操作パネル４に表示されている計数開始ボタンを押下げるとともに、メダルをメダル計数機１００に投入する。この例では、φ２５メダルとφ３０メダルとが混在した状態で、メダルがメダル計数機１００に投入されるものとする。
【００７８】
メダル計数機１００が計数待機状態にある場合において、計数開始ボタンが押下げられると、計数動作（混合計数）が開始される。計数動作が開始されると、メダル計数機１００は、φ２５メダルのメダル数と、φ３０メダルのメダル数とをそれぞれ計数する。
【００７９】
計数動作が終了すると、メダル計数機１００は、予め定められた１種類目のメダル（この例ではφ２５メダルであるとする）の計数結果をそのメダル種類を示す情報とともにレシート発行機２００に通知した後、予め定められた２種類目のメダル（この例では、φ３０メダルであるとする）の計数結果をそのメダル種類を示す情報とともにレシート発行機２００に通知する。
【００８０】
この実施例では、２種類のメダルの計数結果のうち、一方の計数結果が零である場合にも、各メダル種類毎にそのメダル種類と計数結果とが、レシート発行機２００に通知されるものとする。
【００８１】
〔６〕レシート発行機の動作
〔６−１〕レシート発行機の動作の第１実施例
図７は、レシート発行機２００によるレシート発行処理の手順の第１実施例を示している。
【００８２】
１種類目のφ２５メダルの計数結果を受信した後（ステップＳ１）、２種類目のφ３０メダルの計数結果を受信すると（ステップＳ２）、計数結果表示画面を表示部２１２に表示する（ステップＳ３）。図８は、計数結果表示画面の一例を示している。計数結果表示画面には、φ２５メダルの計数結果と、φ３０メダルの計数結果と、発行ボタンとが表示される。
【００８３】
計数結果表示画面上の発行ボタンが押下げられると（ステップＳ４）、印刷・発行処理を行なうことにより、φ２５メダルの計数結果とφ３０メダルの計数結果との両方の情報を含む１種類のバーコード等が印刷された１枚のレシートを発行する（ステップＳ５）。そして、今回のレシート発行処理を終了する。
【００８４】
第１実施例では、印刷・発行処理によって、たとえば、図９に示すような１枚のレシートが発行される。このレシート６１には、遊技施設の店名（パーラーＡＢＣ）、レシート発行年月日、号機番号、レシート番号、φ２５メダルの種類を示す記号（”φ２５”）およびφ２５メダルの計数結果ならびにφ３０メダルの種類を示す記号（”φ３０”）およびφ３０メダルの計数結果が、遊技客および従業員に判読可能に印字されている。号機番号とは、当該レシート６１を発行するレシート発行機２００に接続されているメダル計数機１００の号機番号である。さらに、このレシート６１には、レシート発行年月日、号機番号、レシート番号、φ２５メダルの計数結果およびφ３０メダルの計数結果を含む情報を表す１種類のバーコードが印刷されている。
【００８５】
上記ステップＳ５の印刷・発行処理では、レシートに、遊技施設の店名を表す文字列、レシート発行年月日を表す文字列、号機番号を表す文字列、レシート番号を表す文字列、φ２５メダルの種類を示す記号（”φ２５”）およびステップＳ１で受信したφ２５メダルの計数結果を表す文字列ならびにφ３０メダルの種類を示す記号（”φ３０”）およびステップＳ２で受信したφ３０メダルの計数結果を表す文字列を印刷する。なお、文字列は、文字、数字等から構成される。
【００８６】
また、レシート発行年月日、号機番号、レシート番号、ステップＳ１で受信したφ２５メダルの計数結果およびステップＳ２で受信したφ３０メダルの計数結果を含む情報を１種類のバーコードに変換し、得られた１種類のバーコードをレシートに印刷する。そして、当該レシートを発行する。
【００８７】
第１実施例では、混合計数が行なわれた場合においても、レシートは１枚しか発行されないので、各メダル種類毎にレシートを発行する場合に比べて、レシートの取り忘れが発生しにくくなる。また、第１実施例では、φ２５メダルの計数結果とφ３０メダルの計数結果との両方の情報を含む１種類のバーコードがレシートに記録されるので、各メダル種類毎の２種類のバーコードがレシートに記録される場合に比べて、バーコードリーダの操作が簡単となる。
【００８８】
〔６−２〕レシート発行機の動作の第２実施例
第２実施例によるレシート発行処理の手順は第１実施例とほぼ同様であるが、第２実施例では、第１実施例のステップＳ１〜Ｓ５（図７参照）の処理のうち、ステップＳ５の印刷・発行処理が異なっている。
【００８９】
図１０は、第２実施例における印刷・発行処理の手順を示している。
第２実施例における印刷・発行処理においては、図７のステップＳ１で受信したφ２５メダルの計数結果およびステップＳ２で受信したφ３０メダルの計数結果がともに所定の閾値以上であるか否かを判別する（ステップＳ１１）。閾値としては、例えば、１０が設定される。
【００９０】
φ２５メダルの計数結果およびφ３０メダルの計数結果がともに閾値以上である場合には、第１の印刷・発行処理を行なうことにより、例えば、図１１に示すように、φ２５メダルの計数結果情報を含む第１のバーコードと、φ３０メダルの計数結果情報を含む第２のバーコードとの２種類のバーコード等が印刷された１枚のレシートを発行する（ステップＳ１２）。そして、今回のレシート発行処理を終了する。
【００９１】
上記ステップＳ１２の第１の印刷・発行処理では、レシートに、遊技施設の店名を表す文字列、レシート発行年月日を表す文字列、号機番号を表す文字列、レシート番号を表す文字列、φ２５メダルの種類を示す記号（”φ２５”）およびステップＳ１で受信したφ２５メダルの計数結果を表す文字列ならびにφ３０メダルの種類を示す記号（”φ３０”）およびステップＳ２で受信したφ３０メダルの計数結果を表す文字列を印刷する。
【００９２】
また、レシート発行年月日、号機番号、レシート番号、φ２５メダルを表す識別情報、ステップＳ１で受信したφ２５メダルの計数結果を含む情報を第１のバーコードに変換し、得られた第１のバーコードを、レシートにおけるφ２５メダルの計数結果の印刷位置の下側に印刷する。さらに、レシート発行年月日、号機番号、レシート番号、φ３０メダルを表す識別情報、ステップＳ２で受信したφ３０メダルの計数結果を含む情報を第２のバーコードに変換し、得られた第２のバーコードを、レシートにおけるφ３０メダルの計数結果の印刷位置の下側に印刷する。そして、当該レシートを発行する。
【００９３】
上記ステップＳ１１において、φ２５メダルの計数結果およびφ３０メダルの計数結果のうち、少なくとも一方が閾値未満である場合には、計数結果の少ない方のメダル種類を計数結果の大きい方のメダル種類と見做すことにより、１種類のバーコード等が印刷されたレシートを発行する第２の印刷・発行処理を行なう（ステップＳ１３）。そして、今回のレシート発行処理を終了する。
【００９４】
例えば、φ２５メダルの計数結果が１５００枚であり、φ３０メダルの計数結果が８枚であり、閾値が１０であるとすると、図７のステップＳ３では、図１２に示すような計数結果表示画面が表示される。また、上記ステップＳ１３の第２の印字・発行処理では、例えば、図１３に示すような１枚のレシートが発行される。
【００９５】
上記ステップＳ１３の第２の印刷・発行処理では、まず、φ２５メダルの計数結果およびφ３０メダルの計数結果を加算し、多数メダル（計数結果が多い方のメダル）の計数結果を、得られた加算結果に置き換える。例えば、φ２５メダルの計数結果が１５００枚であり、φ３０メダルの計数結果が８枚であり、閾値が１０であるとすると、多数メダルであるφ２５メダルの計数結果を、両メダルの加算結果である１５０８枚に置き換える。
【００９６】
そして、レシートに、遊技施設の店名を表す文字列、レシート発行年月日を表す文字列、号機番号を表す文字列、レシート番号を表す文字列、計数結果が大きい方のメダルの種類を示す記号および当該種類の計数結果として置き換えられた値（加算結果）を表す文字列を印刷する。計数結果が少ない方のメダルに関する情報は印刷されない。
【００９７】
また、レシート発行年月日、号機番号、レシート番号、計数結果が大きい方のメダルの種類および当該種類の計数結果として置き換えられた値（加算結果）を含む情報を１種類のバーコードに変換し、得られた１種類のバーコードを、レシートに印刷する。そして、当該レシートを発行する。
【００９８】
第２実施例では、φ２５メダルの計数結果およびφ３０メダルの計数結果のうち、一方が閾値（例えば、１０）未満である場合には、計数結果が閾値未満の少数メダルは遊技客が誤って混入したものと判断した上で、サービスとして、当該閾値未満の計数結果を多数メダルの計数結果に加算するようにしている。したがって、景品交換するには中途半端な少数メダルが、計数結果の多い方の多数メダルとして取り扱われるので、遊技客にとっては便利となる。
【００９９】
なお、上記ステップＳ１２の第１の印刷・発行処理においては、φ２５メダルの計数結果情報を含む第１のバーコードと、φ３０メダルの計数結果情報を含む第２のバーコードとの２種類のバーコード等が印刷された１枚のレシートを発行しているが、第１の実施例のステップＳ５の印刷・発行処理のように、φ２５メダルの計数結果とφ３０メダルの計数結果との両方の情報を含む１種類のバーコード等が印刷された１枚のレシートを発行するようにしてもよい。
【０１００】
〔６−３〕レシート発行機の動作の第３実施例
図１４は、レシート発行機２００によるレシート発行処理の手順の第３実施例を示している。
【０１０１】
第３実施例におけるレシート発行処理は、φ２５メダルの景品交換レートとφ３０メダルの景品交換レートとが同一である場合に、採用可能なレシート発行処理である。
【０１０２】
１種類目のφ２５メダルの計数結果を受信した後（ステップＳ２１）、２種類目のφ３０メダルの計数結果を受信すると（ステップＳ２２）、φ２５メダルの計数結果とφ３０メダルの計数結果とを加算する（ステップＳ２３）。そして、計数結果表示画面を表示部２１２に表示する（ステップＳ２４）。
【０１０３】
図１５は、φ２５メダルの計数結果が１５００枚であり、φ２５メダルの計数結果が２００枚であり、それらの加算結果が１７００枚である場合の計数結果表示画面の一例を示している。計数結果表示画面には、ステップＳ２３の加算結果（φ２５メダルの計数結果とφ３０メダルの計数結果との加算結果）が計数値として表示されるとともに発行ボタンが表示される。
【０１０４】
計数結果表示画面上の発行ボタンが押下げられると（ステップＳ２５）、印刷・発行処理を行なうことにより、ステップＳ２３の加算結果情報を含む１種類のバーコードが印刷された１枚のレシートを発行する（ステップＳ２６）。そして、今回のレシート発行処理を終了する。
【０１０５】
第３実施例では、印刷・発行処理によって、たとえば、図１６に示すような１枚のレシート６１が発行される。つまり、上記ステップＳ２６の印刷・発行処理では、レシートに、遊技施設の店名を表す文字列、レシート発行年月日を表す文字列、号機番号を表す文字列、レシート番号を表す文字列、計数された複数のメダルの景品交換レートが同一である意味を表す”混合”の文字列、上記ステップＳ２３の加算結果（φ２５メダルの計数結果とφ３０メダルの計数結果との加算結果）を表す文字列を印刷する。
【０１０６】
また、レシート発行年月日、号機番号、レシート番号および上記ステップＳ２３の加算結果を含む情報を１種類のバーコードに変換し、得られた１種類のバーコードをレシートに印刷する。そして、当該レシートを発行する。
【０１０７】
第３実施例では、メダルの種類は異なるが景品交換レートが同じ場合には、それらのメダルが同一種類である場合と同様な計数結果がレシートに記録されるので、後に行なわれる景品交換処理が簡単となる。
【０１０８】
上記各実施例では、直径の異なる複数種類のメダルに対して、メダル種類を判別してメダル種類毎にメダル枚数を計数し、レシートを発行するようなシステムについて説明したが、複数種類のメダルとしては、形状、模様、色、材質等が異なる複数種類のメダルであってもよい。上記各実施例では、メダル計数機１００とレシート発行機２００とは、それぞれ独立した機器で構成されているが、メダル計数機１００とレシート発行機２００とは一体化された装置（メダル計数機能とレシート発行機能の両方を備えた装置）を用いてもよい。
【図面の簡単な説明】
【０１０９】
【図１】遊技施設内に設けられたメダル計数管理システムの構成を示すブロック図である。
【図２】メダル計数機１００の外観を示す斜視図である。
【図３】１つの計数ユニット６の外観を示す斜視図である。
【図４】計数ユニット６の要部を示す平面図である。
【図５】メダル計数機１００の電気的構成を示すブロック図である。
【図６】レシート発行機２００の電気的構成を示すブロック図である。
【図７】レシート発行機２００によるレシート発行処理の手順の第１実施例を示すフローチャートである。
【図８】計数結果表示画面の一例を示す模式図である。
【図９】第１実施例で発行されるレシートの例を示す模式図である。
【図１０】第２実施例における印刷・発行処理の手順を示すフローチャートである。
【図１１】図１０のステップＳ１２の第１の印刷・発行処理で発行されるレシートの例を示す模式図である。
【図１２】計数結果表示画面の一例を示す模式図である。
【図１３】図１０のステップＳ１３の第２の印刷・発行処理で発行されるレシートの例を示す模式図である。
【図１４】レシート発行機２００によるレシート発行処理の手順の第３実施例を示すフローチャートである。
【図１５】計数結果表示画面の一例を示す模式図である。
【図１６】第３実施例で発行されるレシートの例を示す模式図である。
【符号の説明】
【０１１０】
１００  メダル計数機
６  計数ユニット
１１０  制御部
１１１  表示部
１１２  操作部
２００  レシート発行機
２１０  制御部
２１１  レシート発行部
２１２  表示部
２１３  操作部
３００  景品管理機
【図１】
2010075603.tif 000003
【図２】
2010075603.tif 000004
【図３】
2010075603.tif 000005
【図４】
2010075603.tif 000006
【図５】
2010075603.tif 000007
【図６】
2010075603.tif 000008
【図７】
2010075603.tif 000009
【図８】
2010075603.tif 000010
【図９】
2010075603.tif 000011
【図１０】
2010075603.tif 000012
【図１１】
2010075603.tif 000013
【図１２】
2010075603.tif 000014
【図１３】
2010075603.tif 000015
【図１４】
2010075603.tif 000016
【図１５】
2010075603.tif 000017
【図１６】
2010075603.tif 000018